(57)【要約】【課題】ＯＣＲで読み取った手書き文字のうち、手書き文字イメージのまま出力する部分（例えば、帳票の摘要欄に記入された文字）を読みやすくするための手書の表示及び印刷方法の提供【解決手段】原稿に罫線等が予め印刷され、勘定科目や金額や摘要文字を記入する位置（記入領域）が予め設計されている設計帳票に記入される文字は一般に上部を空けて枠の下線に沿って書かれる傾向があるので、上の部分をカットしてその分、イメージ形式で印字された摘要文字６１のように文字イメージを指定された拡大倍率で縦・横に拡大するようにする。【選択図】　図６
2004086444.tif 000002
【特許請求の範囲】
【請求項１】
イメージデータに変換される手書き文字列の表示拡大率を設定する工程と、
所定のフォーマットに設定された手書き文字列表示領域のイメージデータを拡大する工程と、
前記拡大されたイメージデータの縦方向の長さと前記手書き文字列表示領域の縦方向の長さを比較する工程と、
前記拡大されたイメージデータの縦方向の長さが前記手書き文字列表示領域の縦方向の長さより大きいとき、前記拡大されたイメージデータの縦方向の長さを前記手書き文字列表示領域の縦方向の長さ以下に制限する工程と、
を備えたことを特徴とする手書き文字列の表示方法。
【請求項２】
イメージデータに変換される手書き文字列の表示拡大率を設定する工程と、
所定のフォーマットに設定された手書き文字列表示領域のイメージデータを拡大する工程と、
前記拡大されたイメージデータの横方向の長さと前記手書き文字列表示領域の横方向の長さを比較する工程と、
前記拡大されたイメージデータの横方向の長さが前記手書き文字列表示領域の横方向の長さより大きいとき、前記拡大されたイメージデータの横方向の長さを前記手書き文字列表示領域の横方向の長さ以下に制限する工程と、
を備えたことを特徴とする手書き文字列の表示方法。
【請求項３】
イメージデータに変換される手書き文字列の印字拡大率を設定する工程と、
イメージデータの横方向の長さと該イメージデータの手書き文字列印刷領域の横方向の長さを比較する工程と、
前記イメージデータの横方向の長さが前記手書き文字列印刷領域の横方向の長さより小さいときは前記イメージデータの拡大サイズを前記印字拡大率を基に計算する工程と、
前記計算した拡大サイズと前記手書き文字列印刷領域の横方向の長さを比較する工程と、
前記計算した拡大サイズが前記手書き文字列印刷領域の横方向の長さより大きいとき、拡大サイズが前記手書き文字列印刷領域の横方向の長さを超えないように再計算する工程と、
前記計算した拡大サイズ又は前記再計算した拡大サイズに合わせて前記イメージデータを拡大する工程と、
を備えたことを特徴とする手書き文字列の印刷方法。
【請求項４】
イメージデータに変換される手書き文字列の印字拡大率及び印字縮小率を設定する工程と、
イメージデータの横方向の長さと該イメージデータの手書き文字列印刷領域の横方向の長さを比較する工程と、
前記イメージデータの横方向の長さが前記手書き文字列印刷領域の横方向の長さより小さいときは前記イメージデータの拡大サイズを前記印字拡大率を基に計算する工程と、
前記計算した拡大サイズと前記手書き文字列印刷領域の横方向の長さを比較する工程と、
前記計算した拡大サイズが前記手書き文字列印刷領域の横方向の長さより小さいときは、拡大サイズが前記手書き文字列印刷領域の横方向の長さになるように再計算する工程と、
前記計算した拡大サイズ又は前記再計算した拡大サイズに合わせて前記イメージデータを拡大する工程と、
前記イメージデータの横方向の長さが前記手書き文字列印刷領域の横方向の長さより大きいときは前記イメージデータの縮小サイズを前記印字縮小率を基に計算する工程と、
前記計算した縮小サイズと前記手書き文字列印刷領域の横方向の長さを比較する工程と、
前記計算した縮小サイズが前記手書き文字列印刷領域の横方向の長さより大きいときは、縮小サイズが前記手書き文字列印刷領域の横方向の長さを超えないように再計算する工程と、
前記計算した縮小サイズ又は前記再計算した縮小サイズに合わせて前記イメージデータを縮小する工程と、
を備えたことを特徴とする手書き文字列の印刷方法。
【請求項５】
前記イメージデータの縮小後、更に、前記縮小サイズと前記手書き文字列印刷領域の横方向の長さを比較する工程と、
前記縮小サイズが前記手書き文字列印刷領域の横方向の長さより大きい場合は前記縮小したイメージデータの横の長さを前記手書き文字列印刷領域の横方向の長さ以下に制限する工程と、
を備えたことを特徴とする請求項４記載の手書き文字列の印刷方法。
【発明の詳細な説明】
【０００１】
【発明の属する技術分野】
本発明は、ＯＣＲ（光学的文字読取装置）で読み取った手書き原稿の文字のうち、手書き文字イメージのまま出力する部分（例えば、帳票の摘要欄に記入された文字）を読みやすくするための手書き文字の表示方法及び印刷方法に関する。
【０００２】
【従来の技術】
文字認識処理結果の一応用方法として、ＯＣＲで帳票等の手書き原稿を読みとってイメージデータとし、文字認識を行って所定のフォーマットに編集し、モニタ等の表示装置に表示したり、プリンタで印刷する場合がある。
このような場合、特定の位置の文字は文字認識を行わず手書き文字イメージのまま出力する場合がある。
例えば、図８に示すような手書きの現金出納帳８０をＯＣＲで読みとって文字認識処理を行い、更に勘定科目コードと対応付けて図９に示すようなフォーマットに編集して現金出納帳９０として表示したり、図１０に示すような総勘定元帳として印刷出力する場合、数字のみを文字認識し、手書きの摘要文字８１（図８）はイメージの摘要文字９１（図９）、１０１（図１０）として表示又は印刷している。なお、図８〜図１０の例では科目名８３（図８）については勘定科目コード８２（図８）を基に、勘定科目名対応表から取り出して勘定科目名９３（図９）、１０３（図１０）として表示又は印刷されている。
【０００３】
【発明が解決しようとする課題】
しかしながら、ＯＣＲで読み取ったイメージデータを表示領域（又は印字領域）のサイズに比例させてそのまま表示（又は印刷）すると、図８の符号８１２で示される摘要文字のように小さく記入された文字は図９の符号９１２、図１０の符号１０１２に示すように潰れて判読が困難になるといった問題点があった。
【０００４】
本発明は上記問題点を解決するためになされたものであり、ＯＣＲで読み取った手書き文字のうち、手書き文字イメージのまま出力する部分（例えば、帳票の摘要欄に記入された文字）を読みやすくするための手書き文字の表示方法及び印刷方法の提供を目的とする。
【０００５】
【課題を解決するための手段】
上記課題を解決するために、第１の発明の手書き文字列の表示方法は、イメージデータに変換される手書き文字列の表示拡大率を設定する工程と、所定のフォーマットに設定された手書き文字列表示領域のイメージデータを拡大する工程と、拡大されたイメージデータの縦方向の長さと手書き文字列表示領域の縦方向の長さを比較する工程と、拡大されたイメージデータの縦方向の長さが手書き文字列表示領域の縦方向の長さより大きいとき、拡大されたイメージデータの縦方向の長さを手書き文字列表示領域の縦方向の長さ以下に制限する工程と、を備えたことを特徴とする。
【０００６】
また、第２の発明の手書き文字列の表示方法は、イメージデータに変換される手書き文字列の表示拡大率を設定する工程と、所定のフォーマットに設定された手書き文字列表示領域のイメージデータを拡大する工程と、拡大されたイメージデータの横方向の長さと手書き文字列表示領域の横方向の長さを比較する工程と、拡大されたイメージデータの横方向の長さが手書き文字列表示領域の横方向の長さより大きいとき、拡大されたイメージデータの横方向の長さを手書き文字列表示領域の横方向の長さ以下に制限する工程と、を備えたことを特徴とする。
【０００７】
また、第３の発明の手書き文字列の印刷方法は、イメージデータに変換される手書き文字列の印字拡大率を設定する工程と、イメージデータの横方向の長さと該イメージデータの手書き文字列印刷領域の横方向の長さを比較する工程と、イメージデータの横方向の長さが手書き文字列印刷領域の横方向の長さより小さいときはイメージデータの拡大サイズを印字拡大率を基に計算する工程と、計算した拡大サイズと手書き文字列印刷領域の横方向の長さを比較する工程と、計算した拡大サイズが手書き文字列印刷領域の横方向の長さより大きいとき、拡大サイズが手書き文字列印刷領域の横方向の長さを超えないように再計算する工程と、計算した拡大サイズ又は再計算した拡大サイズに合わせてイメージデータを拡大する工程と、を備えたことを特徴とする。
【０００８】
また、第４の発明の手書き文字列の印刷方法は、イメージデータに変換される手書き文字列の印字拡大率及び印字縮小率を設定する工程と、イメージデータの横方向の長さと該イメージデータの手書き文字列印刷領域の横方向の長さを比較する工程と、イメージデータの横方向の長さが手書き文字列印刷領域の横方向の長さより小さいときはイメージデータの拡大サイズを印字拡大率を基に計算する工程と、計算した拡大サイズと手書き文字列印刷領域の横方向の長さを比較する工程と、計算した拡大サイズが手書き文字列印刷領域の横方向の長さより小さいときは、拡大サイズが手書き文字列印刷領域の横方向の長さになるように再計算する工程と、計算した拡大サイズ又は再計算した拡大サイズに合わせてイメージデータを拡大する工程と、イメージデータの横方向の長さが手書き文字列印刷領域の横方向の長さより大きいときはイメージデータの縮小サイズを印字縮小率を基に計算する工程と、計算した縮小サイズと手書き文字列印刷領域の横方向の長さを比較する工程と、計算した縮小サイズが手書き文字列印刷領域の横方向の長さより大きいときは、縮小サイズが手書き文字列印刷領域の横方向の長さを超えないように再計算する工程と、計算した縮小サイズ又は再計算した縮小サイズに合わせてイメージデータを縮小する工程と、を備えたことを特徴とする。
【０００９】
また、第５の発明は上記第４の発明の手書き文字列の印刷方法において、イメージデータの縮小後、更に、縮小サイズと手書き文字列印刷領域の横方向の長さを比較する工程と、縮小サイズが手書き文字列印刷領域の横方向の長さより大きい場合は縮小したイメージデータの横の長さを手書き文字列印刷領域の横方向の長さ以下に制限する工程と、を備えたことを特徴とする。
【００１０】
【発明の実施の形態】
図１は手書き文字の拡大表示及び拡大印刷方法を適用可能な装置の一実施例の構成を示すブロック図であり、帳票等の原稿を読みとって文字認識を行う文字認識装置１００を例とする。
【００１１】
文字認識装置１００は、光学的に原稿を読みとって原稿上に記入された文字等をイメージデータとして出力する原稿読取部１と、原稿上の指定された領域のイメージデータから文字を切り出して文字認識処理を行う文字認識処理部２と、文字認識処理の結果及びイメージデータを記憶するデータ記憶部３と、イメージデータの拡大表示又は拡大（縮小）印刷に必要な拡大率（縮小率）の設定を行う拡大（縮小）率設定部４と、データ記憶部３に記憶されている文字認識処理の結果及びイメージ出力データを読み出して表示データを編集する表示データ編集部５と、読み取った原稿の表示が選択されているとき、表示データの指定された領域のイメージデータを拡大し、表示データを表示部７に表示させるイメージデータ表示処理部６と、表示部７と、データ記憶部３に記憶されている文字認識処理の結果及びイメージ出力データを読み出して印刷データを編集する印刷データ編集部８と、読み取った原稿の印刷が選択されているとき、印刷データ上の指定された領域のイメージデータを拡大又は縮小し、印刷データをプリンタに印刷出力させるイメージデータ印刷処理部９と、印刷部１０とを備えている。なお、印刷データ編集部８、イメージデータ印刷処理部９及び印刷部１０は設けなくてもよい。
【００１２】
図２は文字認識装置１００における摘要イメージの拡大表示又は拡大（縮小）印刷時の動作概要を示すフローチャートであり、図３は拡大（縮小）率設定部４により表示部７に表示される拡大（縮小）率設定画面の一実施例を示す図である。説明上、前提として、文字認識装置１００には原稿サイズ、領域内のイメージデータについて文字認識を行う文字認識対象領域、領域内のイメージデータについて文字認識を行うことなくそのままイメージ出力を行うイメージ出力対象領域等の設定を原稿毎に予め行うサイズ・領域設定手段が備えられており、通常業務として読み取られる原稿のサイズ、文字認識対象領域、イメージ出力領域が設定済みであるものとする。そして、原稿読取時に自動的に原稿の種類を読みとって当該原稿の設定値を自動的に用いたり、オペレータが手動で原稿の種類を指定すると当該原稿の設定値を自動的に用いるように構成されているものとする。
【００１３】
（動作概要）
文字認識装置１００を起動すると、表示部７に図３に示すような拡大（縮小）率設定画面３０が表示されるので、オペレータは表示拡大率又は印字拡大率を設定する。なお、実施例ではデフォルト値を１００％としている。また、印刷しようとしたイメージが印字領域からはみ出してしまうような場合に備えて印字縮小率を設定することもできる。印字縮小率を設定しない場合は印刷しようとした文字イメージが印字領域に収まらなかった場合ははみ出す部分がカットされるが、印字縮小率を設定した場合は印刷しようとした文字イメージが印字領域に収まらなかった場合はその印字領域に印刷する当該文字イメージ群を設定した縮小率までは縮小して印字する（ステップＳ１）。
【００１４】
上記ステップＳ１で設定した表示拡大率又は印字拡大（縮小）率が確定すると（デフォルト値の場合も含む）、表示又は印刷に必要なデータをデータ記憶部３から読み取る（ステップＳ２）。
【００１５】
「表示」が選択されていると、表示データ編集部５は文字認識結果とイメージ出力対象のイメージデータを所定のフォーマットで編集し（ステップＳ３）、イメージデータ表示処理部６は上記ステップＳ３で編集されたデータのうちイメージデータ出力対象のイメージデータを上記ステップＳ１で設定された表示拡大率に基いて拡大し、表示部７に表示する。また、表示終了操作がなされるとステップＳ２に戻る。実施例では、縦・横共に設定された表示拡大率で拡大するようにしたが、これに限定されない。つまり縦方向にのみ設定された表示拡大率で拡大するようにしてもよい。なお、イメージデータ表示処理部６の詳細な動作を図４に示す（ステップＳ４）。
【００１６】
「印刷」が選択されていると、印刷データ編集部８は文字認識結果とイメージ出力対象のイメージデータを所定のフォーマットで編集し（ステップＳ５）、イメージデータ印刷処理部９はイメージデータ出力対象のイメージデータを上記ステップＳ１で設定された印字拡大率（又は印字縮小率）に基いて拡大（又は縮小）、印刷部１０で印刷出力して、ステップＳ２に戻る。実施例では、横方向にのみ設定された印字拡大率で拡大する。但し、指定された倍率で印刷すると印字領域からはみ出すときは印字できる最大の倍率を計算し直す。なお、イメージデータ印刷処理部９の詳細な動作を図５に示す（ステップＳ６）。
【００１７】
なお、上記図２のフローチャートでは文字認識装置１００の起動時（ステップＳ１）で拡大（縮小）率設定画面３０を表示し、拡大（縮小）率を設定するようにしたが、ある特定のキーを操作したときに拡大（縮小）率設定画面３０を表示して拡大（縮小）率を設定するようにしてもよい。
【００１８】
（イメージデータ拡大表示の方法）
図８の現金出納帳８０の例のように、原稿に罫線等が予め印刷され、勘定科目や金額や摘要文字を記入する位置（記入領域）が予め設計されている設計帳票に記入される文字は一般に上部を空けて枠の下線に沿って書かれる傾向があるので、上の部分をカットしてその分だけ文字イメージを拡大するようにする。このようにすると、帳票全体中、文字認識により活字表現される部分に比べ、従来、枠の下線に沿って小さくまとまっていたイメージ出力部分が拡大されるので、表示（または印刷）した場合、図６及び図７の例に示すように活字表現部分とイメージ表現部分のバランスもよくなり、且つ、イメージ出力部分のつぶれ表示（又はつぶれ印刷）が少なくなって読みやすくなる。
【００１９】
図４はイメージデータ表示処理部６の動作例を示すフローチャートであり、図２のステップＳ４の詳細フローチャートである。また、図６は拡大表示された摘要イメージの一例を示す図であり、図８に示した現金出納帳を例としている。
【００２０】
イメージデータ表示処理部６は、図２のステップＳ１で設定された表示倍率とデフォルト値（＝１００％）とを比較し、表示倍率がデフォルト値より大きい場合はステップＳ４−２に遷移し、デフォルト値の場合はイメージデータの拡大を行わずにステップＳ４−３に遷移する（ステップＳ４−１）。
【００２１】
表示倍率がデフォルト値より大きいときは表示データ中の各イメージ出力対象のイメージデータを縦・横それぞれ表示倍率分拡大する（ステップＳ４−２）。
【００２２】
次に拡大されたイメージデータの縦の長さとイメージデータ表示領域の縦の長さを比較し、拡大されたイメージデータの縦の長さがイメージデータ表示領域の縦の長さより大きい場合はイメージデータ表示領域から上方にはみ出すのでステップＳ４−４に遷移し、拡大されたイメージデータの縦の長さがイメージデータ表示領域の縦の長さより小さい場合は上方にはみ出さないのでステップＳ４−５に遷移する（ステップＳ４−３）。
【００２３】
拡大されたイメージデータの縦の長さがイメージデータ表示領域の縦の長さより大きい場合は、拡大されたイメージデータの縦の長さからイメージデータ表示領域の縦の長さを差し引いた長さの分（つまり、はみ出す分）だけ拡大されたイメージデータの上部をカットする（ステップＳ４−４）。
【００２４】
次に拡大されたイメージデータの横の長さとイメージデータ表示領域の横の長さとを比較し、拡大されたイメージデータの横の長さがイメージデータ表示領域の横の長さより大きい場合はイメージデータ表示領域から横にはみ出すのでステップＳ４−６に遷移し、拡大されたイメージデータの横の長さがイメージデータ表示領域の横の長さより小さい場合は横にはみ出さないのでステップＳ４−７に遷移する（ステップＳ４−５）。
【００２５】
拡大されたイメージデータの横の長さがイメージデータ表示領域の横の長さより大きい場合は、拡大されたイメージデータの横の長さからイメージデータ表示領域の横の長さを差し引いた長さの分（つまり、はみ出す分）だけ拡大されたイメージデータの右部をカットする（ステップＳ４−６）。
【００２６】
活字表示領域とイメージデータ表示領域からなる表示データを表示部７に送って表示させる（ステップＳ４−７）。
上記構成により、イメージ表示部分が図６（符号６１で示す摘要イメージ部分）に示すように拡大印刷されるので小さく記入された文字が潰れるようなこともなく見やすい。
【００２７】
また、記入者によって書き癖があるので会社（或いは会社ファイル）毎に拡大率を設定するように構成することにより、より見やすい表示が可能となる。更に、特定の部分（イメージ出力部分の特定のイメージ、例えば、摘要イメージのうちの特定の摘要文字イメージ）を予め指定しておき、個別的に拡大表示するように構成することにより癖字や読み間違えの多い文字についてもより一層見やすくなる。また、表示されている文字イメージをマウスやカーソルでピンポイント指定し、拡大表示するようにしてもよい。このようにすれば、つぶれかけたような文字も判読可能となる。
【００２８】
図５はイメージデータ印刷処理部９の動作例を示すフローチャートであり、図２のステップＳ６の詳細フローチャートである。また、図７は拡大印刷された摘要イメージの一例を示す図であり、図８に示した現金出納帳を例としている。
【００２９】
まず、イメージデータ印刷処理部９はイメージデータの横の長さ（図５では「データ横」と略記）とそのイメージデータを印字するイメージデータ印字領域の横の長さ（図５では「印字横」と略記）を比較し、イメージデータの横の長さがイメージデータ印字領域の横の長さより小さい場合はＳ６−２に遷移し、大きい場合はＳ６−７に遷移する（ステップＳ６−１）。
【００３０】
次に、図２のステップＳ１で設定された印字拡大率とデフォルト値（＝１００％）を比較し、印字拡大率がデフォルト値より大きい場合はステップＳ６−３に遷移し、デフォルト値の場合はステップＳ６−１５に遷移する（ステップＳ６−２）。
【００３１】
印字拡大率がデフォルト値より大きいときは印刷データ中の各イメージ出力対象のイメージデータの拡大サイズを計算する。拡大サイズはイメージデータの横の長さに図２のステップＳ１で設定された印字拡大率を乗じて計算される（ステップＳ６−３）。
【００３２】
次に拡大サイズとイメージデータ印字領域の横の長さを比較し、拡大サイズがイメージデータ印字領域の横の長さより大きい場合はイメージデータ印字領域からはみ出すのでステップＳ６−５に遷移し、拡大サイズがイメージデータ印字領域の横の長さより小さい場合ははみ出さないのでステップＳ６−６に遷移する（ステップＳ６−４）。
【００３３】
拡大サイズがイメージデータ印字領域の横の長さより大きい場合は、拡大サイズをイメージデータ印字領域の横の長さに再設定する（ステップＳ６−５）。
【００３４】
次に、上記ステップＳ６−３で計算された拡大サイズ又はステップＳ６−５で再設定された拡大サイズに合わせて印字するイメージデータ（例えば摘要イメージ）を拡大してステップＳ６−１５に遷移する（Ｓ６−６）。
【００３５】
また、イメージデータの横の長さがイメージデータ印字領域の横の長さより大きい場合で、図２のステップＳ１で設定された印字縮小率がデフォルト値（＝１００％）より小さい場合はステップＳ６−８に遷移し、デフォルト値のときはステップＳ６−１４に遷移する（ステップＳ６−７）。
【００３６】
縮小倍率がデフォルト値より小さいときは印刷データ中の各イメージ出力対象のイメージデータの縮小サイズを計算する。縮小サイズはイメージデータの横の長さに図２のステップＳ１で設定された縮小倍率を乗じて計算される（ステップＳ６−８）。
【００３７】
次に縮小サイズとイメージデータ印字領域の横の長さを比較し、縮小サイズがイメージデータ印字領域の横の長さより小さい場合はステップＳ６−１０に遷移し、縮小サイズがイメージデータ印字領域の横の長さより大きい場合はステップＳ６−１１に遷移する（ステップＳ６−９）。
【００３８】
縮小サイズがイメージデータ印字領域の横の長さより小さい場合は、縮小サイズをイメージデータ印字領域の横の長さに再設定する（ステップＳ６−１０）。
【００３９】
次に、上記ステップＳ６−８で計算された縮小サイズ又はステップＳ６−１０で再設定された縮小サイズに合わせて印字するイメージデータ（例えば摘要イメージ）を縮小してステップＳ６−１２に遷移する（Ｓ６−１１）。
【００４０】
再度、縮小サイズとイメージデータ印字領域の横の長さを比較し、縮小サイズがイメージデータ印字領域の横の長さより大きい場合はステップＳ６−１３に遷移し、縮小サイズがイメージデータ印字領域の横の長さより小さい場合はステップＳ６−１５に遷移する（ステップＳ６−１２）。
【００４１】
縮小サイズがイメージデータ印字領域の横の長さを超える分だけ縮小イメージデータをカットしてステップＳ６−１５に遷移する。カット分のサイズは縮小サイズからイメージデータ印字領域の横の長さを差し引いて計算できる（ステップＳ６−１３）。
【００４２】
縮小倍率がデフォルト値の場合は、イメージデータの横の長さがイメージデータ印字領域の横の長さを超える分だけイメージデータをカットしてステップＳ６−１５に遷移する。カット分のサイズはイメージデータの横の長さからイメージデータ印字領域の横の長さを差し引いて計算できる（ステップＳ６−１４）。
【００４３】
活字印刷領域とイメージデータ印字領域からなる印刷データを印刷部１０に送って印刷させる（ステップＳ６−１５）。
【００４４】
上記構成により、イメージ印刷部分が図７（符号７１で示す摘要イメージ部分）に示すように拡大印刷できるので小さく記入された文字が潰れるようなこともなく見やすい。また、記入者によって癖があるので会社（或いは会社ファイル）毎に拡大率を設定するように構成することにより、より見やすい印刷が可能となる。
【００４５】
以上、本発明の幾つかの実施例について説明したが本発明は上記各実施例に限定されるものではなく、種々の変形実施が可能であることはいうまでもない。
【００４６】
【発明の効果】
上記説明したように、第１及び第２の発明によれば、イメージ表示部分が拡大表示されるので小さく記入された文字が潰れるようなこともなく見やすい。
また、第３の発明によればイメージ印刷部分が拡大印刷されるので小さく記入された文字が潰れるようなこともなく見やすい。また、フォントで印刷した文字と大きさのバランスをよくすることができる。
【００４７】
また、第４の発明によれば拡大により印刷領域より大きくなり過ぎたイメージデータを指定した縮小率まで縮小して印刷できるので、印刷領域に適合した大きさでイメージデータを印刷できる。また、第５の発明によれば大きすぎるイメージデータの幅をカットして印刷できるのでイメージ表示する文字列の見やすさをあまり損なうことなく印刷できる。
【図面の簡単な説明】
【図１】手書き文字の拡大表示及び拡大印刷方法を適用可能な装置の一実施例の構成を示すブロック図である。
【図２】図１の装置（文字認識装置）における原稿読取から手書きの摘要イメージの拡大表示（印刷）時の動作概要を示すフローチャートである。
【図３】拡大（縮小）率設定部により表示部に表示される拡大（縮小）率設定画面の一実施例を示す図である。
【図４】イメージデータ表示処理部の動作例を示すフローチャートである。
【図５】イメージデータ印刷処理部の動作例を示すフローチャートである。
【図６】拡大表示された摘要イメージの一例を示す図である。
【図７】拡大印刷された摘要イメージの一例を示す図である。
【図８】手書き原稿の一例（現金出納帳）を示す図である。
【図９】ＯＣＲで読み取られ表示された摘要イメージの一例を示す図である。
【図１０】ＯＣＲで読み取られ印刷された摘要イメージの一例を示す図である。
【符号の説明】
３１　表示拡大率
３２　印字拡大率
３３　印字縮小率
６１　拡大表示された摘要文字イメージ（拡大されたイメージデータ）
７１　拡大印刷された摘要文字イメージ（拡大されたイメージデータ）
８１　手書き文字列
【図１】
2004086444.tif 000003
【図２】
2004086444.tif 000004
【図３】
2004086444.tif 000005
【図４】
2004086444.tif 000006
【図５】
2004086444.tif 000007
【図６】
2004086444.tif 000008
【図７】
2004086444.tif 000009
【図８】
2004086444.tif 000010
【図９】
2004086444.tif 000011
【図１０】
2004086444.tif 000012